(57)【要約】【課題】タンクを設置面に固定してタンクの転倒を防止することができ、設置状態におけるタンクを転倒し難い低い位置に配置できると共に、平面視においてタンクから大きく突出することなく邪魔になり難いタンク固定具及びこのタンク固定具を用いたタンク固定構造を提供する。【解決手段】タンク固定具１が、設置面３に固定される被固定部（第一被固定片部３９、第二被固定片部４４）を備える。また、タンク２の周壁部１０下部に形成された凹み部（凹部１８、凹段部２２）の外面に沿って配置され、凹み部に取り付けられる被取付部（第一被取付片部３７、第二被取付片部４２）を備える。【選択図】図１
2012171650.tif 000002
【特許請求の範囲】
【請求項１】
設置面に固定される被固定部と、タンクの周壁部下部に形成された凹み部の外面に沿って配置され、前記凹み部に取り付けられる被取付部を備えたことを特徴とするタンク固定具。
【請求項２】
前記被固定部が前記凹み部の外面側に形成された凹所に配置されて前記設置面に設けられた固着具に固着されるものであることを特徴とする請求項１に記載のタンク固定具。
【請求項３】
請求項１又は請求項２に記載のタンク固定具を用いたタンク固定構造であって、前記タンクの凹み部の外面に沿って前記タンク固定具の被取付部が配置され、この被取付部が前記タンクの凹み部に取り付けられると共に、前記タンク固定具の被固定部が前記設置面に固定されたことを特徴とするタンク固定構造。
【発明の詳細な説明】
【技術分野】
【０００１】
本発明は、タンクを設置面に固定するためのタンク固定具とタンク固定構造に関する。
【背景技術】
【０００２】
特許文献１には、雨水を利用するシステムにおいて、竪樋から導入された雨水を貯留するためのタンクが開示されている。このタンクは、設置面上に設置される筒状の支持体と、支持体の上部に挿入されて連結されるタンク本体を備えている。ところが、前記設置面上に設置されたタンクは転倒する恐れがある。
【０００３】
一方、特許文献２には、脚を備えた貯湯式電気温水器が開示されている。前記脚は貯湯式電気温水器の下面に設けられており、この脚を取付用ベースに設けたアンカーボルトに固定できるようになっている。しかし、この貯湯式電気温水器は下面に脚を取り付ける分だけ、設置状態における貯湯式電気温水器は転倒しやすい高い位置に配置されてしまう。
【先行技術文献】
【特許文献】
【０００４】
【特許文献１】特開２０１１−６９１１号公報
【特許文献２】特開平９−１７８２７１号公報
【発明の概要】
【発明が解決しようとする課題】
【０００５】
本発明は前記事情に鑑みてなされたものであって、タンクを設置面に固定してタンクの転倒を防止することができ、設置状態におけるタンクを転倒し難い低い位置に配置でき、しかも、平面視においてタンクから大きく突出せず邪魔になり難いタンク固定具及びこのタンク固定具を用いたタンク固定構造を提供することを課題とする。
【課題を解決するための手段】
【０００６】
前記課題を解決するために本発明のタンク固定具は、設置面に固定される被固定部と、タンクの周壁部下部に形成された凹み部の外面に沿って配置され、前記凹み部に取り付けられる被取付部を備えたことを特徴とする。
【０００７】
また、前記被固定部が前記凹み部の外面側に形成された凹所に配置されるものであることが好ましい。
【０００８】
また、本発明のタンク固定構造は、前記タンク固定具を用いたタンク固定構造であって、前記タンクの凹み部の外面に沿って前記タンク固定具の被取付部が配置され、この被取付部が前記タンクの凹み部に取り付けられると共に、前記タンク固定具の被固定部が前記設置面に固定されたことを特徴とする。
【発明の効果】
【０００９】
本発明のタンク固定具及びタンク固定構造にあっては、タンクを設置面に固定してタンクの転倒を防止することができる。また、設置状態におけるタンクを転倒し難い低い位置に配置でき、また、タンク固定具が平面視においてタンクから大きく突出することなく邪魔になり難い。
【図面の簡単な説明】
【００１０】
【図１】本発明の実施形態の一例のタンク固定具とタンクを示す分解斜視図である。
【図２】同上のタンクの設置状態を示す背面図である。
【図３】同上のタンクにタンク固定具を取り付けた状態を示す斜視図である。
【図４】同上のタンクの縦断面図である。
【図５】同上のタンク本体の斜視図である。
【図６】同上のタンク本体の背面図である。
【図７】同上のタンク固定具を示す斜視図である。
【図８】同上のタンク固定具を示し、（ａ）は正面図、（ｂ）は底面図、（ｃ）は右側面図、（ｄ）は左側面図、（ｅ）は平面図である。
【図９】同上のタンク固定具の被固定片部の設置面に対する固定構造を示す断面図である。
【図１０】同上のタンク固定具の被取付片部のタンク本体に対する取付構造を示す断面図である。
【発明を実施するための形態】
【００１１】
以下、本発明を添付図面に基づいて説明する。まず、本実施形態のタンク固定具１により設置面３に固定されるタンク２は液体貯留用のタンクであって、まずタンク２について説明する。
【００１２】
タンク２は、図２のようにコンクリート等からなる設置面３の上に設置されて竪樋４から導入された雨水を貯留するための大型の雨水タンクであり、タンク２内に貯留された雨水は散水等に利用される。
【００１３】
タンク２は平面視で左右方向に長形で且つ縦長のものであって、タンク状部分をなすタンク本体５と、タンク本体５の上端部に着脱自在に被せ付けられる蓋体７を備えており、蓋体７はタンク本体５の上端部に形成された開口部６（図５参照）を閉塞する。
【００１４】
タンク本体５は高密度ポリエチレン樹脂等からなる合成樹脂製であって、ブロー成形により左右対称形状に成形された一体成形品である。
【００１５】
図５に示されるように、タンク本体５の底面部の左右両側部分は下方に突出し、各突出部分は設置面３上に設置される脚部９を構成している。なお、雨水は脚部９の内部にも溜められるようになっている。
【００１６】
タンク本体５の周壁部１０は平面視略楕円形の筒状に形成されている。図６のように周壁部１０の後面部１１の上端部には、一方の側端部に給水口としての接続口１２が設けられており、他方の側端部にオーバーフロー口１３が形成されている。
【００１７】
図２のように、接続口１２には、竪樋４から分岐した給水路１４の下流端が接続される。これにより竪樋４を流れる雨水を給水路１４を介して接続口１２からタンク本体５に流入させることができる。また、図５のようにタンク本体５の上面部の左右両側には第二の給水口として前記開口部６が形成されており、タンク本体５には接続口１２からだけでなく各開口部６からも給水できるようになっている。
【００１８】
図２のように、オーバーフロー口１３には排水路１５の上流端が接続され、排水路１５の下流端は竪樋４の給水路１４が分岐した箇所よりも下流側に接続される。これにより、タンク本体５内の雨水が所定量を超えた場合に、その超過した雨水をオーバーフロー口１３から排水路１５を介して竪樋４に排出することができる。
【００１９】
図５に示されるように、タンク本体５の前面部１６下部の左右方向中央部には、後方に凹んだ凹部１７が形成されている。また、図１のように後面部１１の下部において前記凹部１７に対応する左右方向中央部には、凹み部として前方に凹んだ凹部１８が形成されている。このように、タンク本体５の前面部１６及び後面部１１にタンク２の内方に向かって凹んだ凹部１７，１８を形成することで、タンク２下部の前面部１６及び後面部１１を補強することができる。このため、タンク２内に雨水が溜まったときに、タンク２の下部に水圧が加わってタンク２が変形することを防止できる。
【００２０】
各凹部１７，１８は前面部１６，後面部１１の中間の高さ位置から脚部９の下端に至るまで形成されており、前側の凹部１７の外面側には前方及び下方に開口する凹所２１が形成され、後側の凹部２４の外面側には後方及び下方に開口する凹所２４が形成されている。
【００２１】
図４のように、前側の凹部１７の奥面部の上部には、吐水口としての蛇口２０が設けられている。凹所２１の下部には、じょうろやバケツ等の容器を蛇口２０の下方に位置するように配置でき、これにより、蛇口２０から下方に吐出した雨水を容器内に容易に入れることができる。また、後側の凹部１８の奥面部は前方に向かって突となる弧状に形成されている。
【００２２】
図６に示されるように、各脚部９の左右方向における外側端部には、第二の凹み部として、脚部９の後面部を前方に凹ませてなる凹段部２２が形成されている。各凹段部２２の外面側には後方、外側方、及び下方に開口する凹所４１が形成されている。
【００２３】
後側の凹部１８の上面部及び各凹段部２２の外側方を向く側面部の夫々には、取付孔２８が形成されている（各凹段部２２の取付孔２８については図１等参照）。各取付孔２８は、図１０に示すように内面に雌ねじ部５４が形成されており、この雌ねじ部５４にねじ込まれた止水栓３１により閉塞される。
【００２４】
なお、タンク固定具１を用いずにタンク２を設置する場合、各取付孔２８はタンク２の吐水口として利用したり、シャワーホース等の散水可能な散水装置を直接又は接続体を介して着脱自在に接続できるようにしても構わない。
【００２５】
次にタンク固定具１について説明する。タンク固定具１は図３に示されるようにタンク２に取り付けられ、このタンク固定具１を設置面３に固定することで、タンク２はタンク固定具１を介して設置面３に固定される。
【００２６】
図７に示されるように、タンク固定具１は金属板を折曲加工して形成したものであり、タンク本体５の後面部１１の下部外面に沿って配置される前板部３５を備えている。前板部３５は、左右方向中央部に形成された第一被嵌込部３６と、第一被嵌込部３６を挟んで左右両側に位置する沿面部３８とで構成されている。
【００２７】
第一被嵌込部３６は、水平断面が前方に突となる弧状となって両側が沿面部３８に接続された弧状面部２９を有している。また、第一被嵌込部３６は、図１のように、弧状面部２９の下縁から後方に向かって一体に突出する第一被固定片部３９（第一の被固定部）と、弧状面部２９の上縁の前部から後方に向かって一体に突出する第一被取付片部３７（第一の被取付部）を有している。そして、弧状面部２９、第一被固定片部３９、及び第一被取付片部３７により、第一被嵌込部３６が構成されている。
【００２８】
前板部３５の両側縁の下端部には第二被嵌込部２６が形成されている。第二被嵌込部２６は、前板部３５の側縁（沿面部３８の外側縁）の下端部から前方に向かって一体に突出する第二被取付片部４２（第二の被取付部）を有している。また、第二被嵌込部２６は、第二被取付片部４２の前縁から外側方に向かって一体に突出する沿片部４３と、第二被取付片部４２の下縁から外側方に向かって突出する第二被固定片部４４（第二の被固定部）を有し、第二被固定片部４４の前縁は沿片部４３の下縁に接続されている。そして、第二被取付片部４２、沿片部４３、及び第二被固定片部４４で第二被嵌込部２６が構成されている。
【００２９】
図８（ｅ）に示されるように、第一被固定片部３９の後縁、この両側に配置される両沿面部３８の下縁、及びこの両側に配置される各第二被固定片部４４の外縁は連続して、タンク固定具１の平面視略半楕円弧状をなす下端後縁４６を構成する。
【００３０】
図８（ｂ）に示されるように、第一被固定片部３９の左右両側部分及び各第二被固定片部４４の中央部には、固定具を構成する芯棒打ち込み式のアンカーボルト４７（図９参照）を挿通するための固定用孔４８が夫々形成されている。また、図７のように、第一被取付片部３７及び各第二被取付片部４２には、取付具を構成する止水栓３１（図１０参照）を挿通するための取付用孔５０が夫々形成されている。
【００３１】
タンク固定具１を用いてタンク２をコンクリートからなる設置面３上に設置する場合、例えば以下のように行われる。
【００３２】
まず、タンク固定具１にタンク２を取り付ける。これには、まず、図３に示すように、タンク固定具１の中央部に形成された第一被嵌込部３６をタンク本体５の凹部１８に嵌め込むと共に、タンク固定具１の両端部に設けられた第二被嵌込部２６をタンク本体５の対応する凹段部２２に嵌め込む。これにより、第一被嵌込部３６の弧状面部２９及び第一被取付片部３７を、タンク２の凹部１８の奥面部及び上面部の夫々に沿わせる。また、各第二被嵌込部２６の第二被取付片部４２及び沿片部４３を、タンク２の対応する凹段部２２側面部及び奥面部に沿わせる。そしてこの状態で、タンク固定具１の第一被取付片部３７をタンク本体５の凹部１８の上面部に取り付けると共に、タンク固定具１の各第二被取付片部４２をタンク本体５の対応する凹段部２２の側面部に取り付ける。
【００３３】
第一被取付片部３７及び各第二被取付片部４２のタンク本体５への取り付けには、前記止水栓３１が用いられる。図１０に示すように、各止水栓３１は、操作部５２と、操作部５２の中央部から突出した雄ねじ部５３で構成されている。
【００３４】
止水栓３１を用いて第一被取付片部３７や第二被取付片部４２をタンク本体５に取り付けるには、操作部５２を回転操作して、図１０のように雄ねじ部５３を取付孔２８の雌ねじ部５４にねじ込み、操作部５２の外周部とタンク本体５の外面部の間に第一被取付片部３７や第二被取付片部４２を挟み込む。また、この際、操作部５２とタンク本体５の外面部の間に雄ねじ部５４を囲む環状のパッキン５５を挟み込んで、操作部５２とタンク本体５の外面部の間をシールしておく。このようにタンク固定具１をタンク本体５に取り付けると、タンク固定具１の下端後縁４６は平面視においてタンク本体５の略半楕円弧状の前面部１６に沿う。
【００３５】
そして、上記のようにタンク固定具１を取り付けたタンク本体５の両脚部９を設置面３上に設置すると共に、タンク固定具１を設置面３上に設置固定する。タンク固定具１の設置面３への固定は、まず、設置面３において各固定用孔４８に対応する箇所に図９に示されるようにアンカーボルト４７を設け、次に各固定用孔４８に対応するアンカーボルト４７を挿通して、第一被固定片部３９及び各第二被固定片部４４を設置面３上に載置する。この後、各アンカーボルト４７の設置面３上に突出した上端部にナット５１を嵌め着け、各ナット５１と設置面３の間に第一被固定片部３９や第二被固定片部４４を挟持する。これによって、タンク固定具１は設置面３上に固定され、タンク２は転倒が防止された状態で設置面３に固定される。
【００３６】
また、本実施形態のタンク本体５の後面部１１の上端部にはチェーン通し部２５が設けられており、これにより図示しないチェーンをチェーン通し部２５に通して、このチェーンを設置面３に設けたアンカーボルト等に固定することで、タンク本体５の上端部を設置面３に対して固定できるようになっている。このようにタンク２の上端部をチェーンにより固定することで、タンク２の転倒を一層確実に防止することができる。
【００３７】
なお、上記ではタンク固定具１にタンク２を取り付けた後にタンク固定具１を設置面３に固定したが、タンク固定具１を設置面３に固定した後にタンク固定具１にタンク２を取り付けても構わない。
【００３８】
以上説明した本実施形態のタンク固定具１は、第一被取付片部３７及び第二被取付片部４２をタンク２に取り付け、第一被固定片部３９及び第二被固定片部４４を設置面３に固定することで、タンク２を設置面３に強固に固定してタンク２の転倒を防止できる。また、第一被取付片部３７や第二被取付片部４２はタンク２の周壁部に形成された凹部１８や凹段部２２に取り付けられるので、タンク固定具１をタンク２の底面部に取り付ける場合と比較して、設置状態におけるタンク２を転倒し難い低い位置に配置できる。また、第一被取付片部３７や第二被取付片部４２は、タンク２の水圧に伴う変形を防止するために形成された凹部１８や凹段部２２に収めることができる。このため、第一被取付片部３７や各第二被取付片部４２を平面視でタンク２から大きく突出しないように配置することができ、タンク２の設置状態において第一被取付片部３７や各第二被取付片部４２が邪魔になり難い。
【００３９】
また、第一被固定片部３９や第二被固定片部４４は凹部１８や凹段部２２の外面側に形成された凹所２４や凹所４１に配置することができるので、設置状態におけるタンク２を一層低い位置に配置することができる。また、第一被固定片部３９や第二被固定片部４４も凹部１８や凹段部２２に収めることができる。このため、第一被固定片部３９及び各第二被固定片部４４も平面視でタンク２から大きく突出しないように配置することができ、設置状態においてタンク固定具１が邪魔になり難い。
【符号の説明】
【００４０】
１  タンク固定具
２  タンク
３  設置面
１０  周壁部
１８  凹部（凹み部）
２２  凹段部（凹み部）
３７  第一被取付片部（被取付部）
３９  第一被固定片部（被固定部）
４２  第二被取付片部（被取付部）
４４  第二被固定片部（被固定部）
【図１】
2012171650.tif 000003
【図２】
2012171650.tif 000004
【図３】
2012171650.tif 000005
【図４】
2012171650.tif 000006
【図５】
2012171650.tif 000007
【図６】
2012171650.tif 000008
【図７】
2012171650.tif 000009
【図８】
2012171650.tif 000010
【図９】
2012171650.tif 000011
【図１０】
2012171650.tif 000012